(57)【特許請求の範囲】
【請求項１】
ユーザ装置（ＵＥ）が同時に少なくとも２つのアクセスネットワークエレメントと接続を確立するシーンに適用され、
メイン接続ノードは、前記ＵＥと１つのリソース接続ノードとの間の少なくとも一部の接続を削除又は移動する必要があると確定した場合、前記少なくとも一部の接続を対応的に削除又は移動するように前記リソース接続ノードに指示し、前記リソース接続ノード又は前記メイン接続ノードは、前記少なくとも一部の接続を対応的に削除又は移動するように前記ＵＥに指示することを含み、
前記少なくとも一部の接続を削除又は移動するように前記ＵＥに指示することは、
前記ＵＥと前記リソース接続ノードとの間の少なくとも１つのユーザプレーンデータ無線ベアラ（ＤＲＢ）、及び前記ＵＥと前記リソース接続ノードとの間の少なくとも１つのコントロールプレーンシグナリング無線ベアラ（ＳＲＢ）を削除又は移動するように前記ＵＥに指示することを含むことを特徴とする接続管理方法。
【請求項２】
前記少なくとも一部の接続を対応的に削除又は移動するように前記リソース接続ノードに指示することは、
前記メイン接続ノードが、前記リソース接続ノードがベアリングするユーザプレーンデータ伝送用の少なくとも一部の無線アクセスベアラ（ＲＡＢ）を対応的に削除又は移動するように前記リソース接続ノードに指示することを含む請求項１に記載の方法。
【請求項３】
前記メイン接続ノードが、前記少なくとも一部の接続を対応的に削除又は移動するように前記ＵＥに指示することは、
前記メイン接続ノードが、前記少なくとも一部の接続を対応的に削除又は移動するように前記リソース接続ノードに指示すると同時に、前記少なくとも一部の接続を対応的に削除又は移動するように前記ＵＥに指示すること、又は、
前記メイン接続ノードが、前記リソース接続ノードが前記少なくとも一部の接続を対応的に削除又は移動したことを知った後、前記少なくとも一部の接続を対応的に削除又は移動するように前記ＵＥに指示することを含む請求項１に記載の方法。
【請求項４】
前記リソース接続ノードが、前記少なくとも一部の接続を対応的に削除又は移動するように前記ＵＥに指示することは、
前記リソース接続ノードが、前記メイン接続ノードの指示を受信した後、前記少なくとも一部の接続を対応的に削除又は移動するように前記ＵＥに指示することを含み、
又は、
前記メイン接続ノードが、前記ＵＥと１つのリソース接続ノードとの間の少なくとも一部の接続を削除又は移動する必要があると確定することは、
前記メイン接続ノードが、受信した測定レポート、無線リソース管理（ＲＲＭ）アルゴリズム、受信したリソースノードの負荷情報及びサービス伝送状況のうちの少なくとも１つの要素に基づいて、前記ＵＥと１つのリソース接続ノードとの間の少なくとも一部の接続を削除又は移動する必要があるかどうかを判断することを含む
請求項１に記載の方法。
【請求項５】
前記少なくとも一部の接続を対応的に削除又は移動するように前記リソース接続ノードに指示することは、
前記リソース接続ノードに接続再設定要求を開始することを含み、前記接続再設定要求は、前記メイン接続ノードにより削除すると決められた、又はリソース接続ノードから移出すると決められた接続の情報を含み、
前記接続の情報は少なくとも前記接続の識別情報を含む請求項１に記載の方法。
【請求項６】
前記接続の情報は、前記メイン接続ノードの提供した各削除／移出された接続が前記リソース接続ノードとメイン接続ノードのＸｎインターフェースでデータ転送を行うアップリンク・ダウンリンクユーザプレーンＧＰＲＳトンネルプロトコルトンネル識別情報を更に含む請求項５に記載の方法。
【請求項７】
前記接続の情報は前記各削除／移出された接続がデータ転送を行うかどうかの指示情報を更に含み、
前記リソース接続ノードは、データ転送を行うかどうかの指示情報の値がデータ転送を行う必要があることを表すと判断した場合、データを前記メイン接続ノードに転送する請求項５又は６に記載の方法。
【請求項８】
前記リソース接続ノードは、前記メイン接続ノードの指示に従って、接続の削除／移出を対応的に完了した後、前記メイン接続ノードに、削除／移出されたすべての接続の識別情報を少なくとも含む前記削除／移出されたすべての接続の情報を送信することを更に含む請求項１、５又は６のいずれか１項に記載の方法。
【請求項９】
前記削除／移出されたすべての接続の情報は各削除／移出された接続がデータ転送を行うかどうかの指示を更に含み、
又は、
前記すべての接続の情報は各削除／移出された接続でのデータ伝送の伝送シーケンス状態を更に含み、前記伝送シーケンス状態は、アップリンクパケットデータプロトコル層サービスデータパケット（ＰＤＣＰ  ＳＤＵ）の受信状態指示、最初に欠落したアップリンクＰＤＣＰ  ＳＤＵのカウント番号及び最初に欠落したダウンリンクＰＤＣＰ  ＳＤＵのカウント番号のうちの任意の１つ又は任意のいくつかの組み合せを含み、
又は、
前記リソース接続ノードは、前記メイン接続ノードの指示に従って、接続の削除／移出を対応的に完了した後、前記メイン接続ノードに各削除／移出された接続でのデータ伝送の伝送シーケンス状態を送信し、前記伝送シーケンス状態は、アップリンクＰＤＣＰ  ＳＤＵの受信状態指示、最初に欠落したアップリンクＰＤＣＰ  ＳＤＵのカウント番号及び最初に欠落したダウンリンクＰＤＣＰ  ＳＤＵのカウント番号のうちの任意の１つ又は任意のいくつかの組み合せを含む
請求項８に記載の方法。
【請求項１０】
前記メイン接続ノードにより送信された指示を受信した後、前記リソース接続ノードが前記ＵＥと前記リソース接続ノードとの間のすべての接続を削除することを更に含み、
又は、
前記ＵＥが前記少なくとも一部の接続を対応的に削除又は移動した後、前記メイン接続ノードに応答を送信することを更に含み、
前記ＵＥが返信した前記応答を受信した後、前記リソース接続ノードに、削除又は移動が成功したことを通知することを更に含む
請求項１に記載の方法。
【請求項１１】
アクセスネットワークエレメントであって、
前記アクセスネットワークエレメントをメイン接続ノードとする場合、前記ＵＥと１つのリソース接続ノードとの間の少なくとも一部の接続を削除又は移動する必要があるかどうかを確定するように設定される確定モジュール、
前記アクセスネットワークエレメントをメイン接続ノードとする場合、前記確定モジュールが、前記ＵＥと１つのリソース接続ノードとの間の少なくとも一部の接続を削除又は移動する必要があると確定した時、前記少なくとも一部の接続を対応的に削除又は移動するように前記リソース接続ノードに指示するように設定される指示モジュールを備え、
前記指示モジュールが、前記少なくとも一部の接続を削除又は移動するように前記ＵＥに指示することに用いられることは、
前記指示モジュールが、前記ＵＥと前記リソース接続ノードとの間の少なくとも１つのユーザプレーンデータ無線ベアラ（ＤＲＢ）、及び前記ＵＥと前記リソース接続ノードとの間の少なくとも１つのコントロールプレーンシグナリング無線ベアラ（ＳＲＢ）を削除又は移動するように前記ＵＥに指示するように設定されることを含むアクセスネットワークエレメント。
【請求項１２】
前記指示モジュールは更に、前記アクセスネットワークエレメントをメイン接続ノードとする場合、前記確定モジュールが、前記ＵＥと１つのリソース接続ノードとの間の少なくとも一部の接続を削除又は移動する必要があると確定した時、前記少なくとも一部の接続を対応的に削除又は移動するように前記ＵＥに指示するように設定され、又は、前記アクセスネットワークエレメントをリソース接続ノードとする場合、メイン接続ノードにより送信された、少なくとも一部の接続を削除又は移動する指示を受信した後、前記少なくとも一部の接続を対応的に削除又は移動するように前記ＵＥに指示するように更に設定される請求項１１に記載のアクセスネットワークエレメント。
【請求項１３】
前記指示モジュールが、前記少なくとも一部の接続を対応的に削除又は移動するように前記リソース接続ノードに指示するように設定されることは、
前記指示モジュールが、前記リソース接続ノードがベアリングするユーザプレーンデータ伝送用の少なくとも一部の無線アクセスベアラ（ＲＡＢ）を対応的に削除又は移動するように前記リソース接続ノードに指示するように設定されることを含む請求項１１に記載のアクセスネットワークエレメント。
【請求項１４】
前記指示モジュールが、前記アクセスネットワークエレメントをメイン接続ノードとする場合、前記少なくとも一部の接続を対応的に削除又は移動するように前記ＵＥに指示するように設定されることは、
前記指示モジュールが、前記アクセスネットワークエレメントをメイン接続ノードとする場合、前記少なくとも一部の接続を対応的に削除又は移動するように前記リソース接続ノードに指示すると同時に、前記少なくとも一部の接続を対応的に削除又は移動するように前記ＵＥに指示するように設定されること、又は、
前記指示モジュールが、前記アクセスネットワークエレメントをメイン接続ノードとする場合、前記リソース接続ノードが前記少なくとも一部の接続を対応的に削除又は移動したことを知った後、前記少なくとも一部の接続を対応的に削除又は移動するように前記ＵＥに指示するように設定されることを含む請求項１２に記載のアクセスネットワークエレメント。
【請求項１５】
前記確定モジュールが、前記ＵＥと１つのリソース接続ノードとの間の少なくとも一部の接続を削除又は移動する必要があるかどうかを確定するように設定されることは、
前記確定モジュールが、受信した測定レポート、無線リソース管理（ＲＲＭ）アルゴリズム、受信したリソースノードの負荷情報及びサービス伝送状況のうちの少なくとも１つの要素に基づいて、前記ＵＥと１つのリソース接続ノードとの間の少なくとも一部の接続を削除又は移動する必要があるかどうかを判断するように設定されることを含む
請求項１１又は１４に記載のアクセスネットワークエレメント。
【請求項１６】
前記指示モジュールが、前記少なくとも一部の接続を対応的に削除又は移動するように前記リソース接続ノードに指示するように設定されることは、
前記指示モジュールが、前記リソース接続ノードに接続再設定要求を開始するように設定されることを含み、前記接続再設定要求は、前記メイン接続ノードにより削除すると決められた、又はリソース接続ノードから移出すると決められた接続の情報を含み、
前記接続の情報は少なくとも前記接続の識別情報を含む請求項１１に記載のアクセスネットワークエレメント。
【請求項１７】
前記接続の情報は、前記指示モジュールの提供した各削除／移出された接続が前記リソース接続ノードとメイン接続ノードのＸｎインターフェースでデータ転送を行うアップリンク・ダウンリンクユーザプレーンＧＰＲＳトンネルプロトコルトンネル識別情報を更に含む請求項１６に記載のアクセスネットワークエレメント。
【請求項１８】
前記接続の情報は、前記各削除／移出された接続がデータ転送を行うかどうかの指示情報を更に含み、
前記アクセスネットワークエレメントをリソース接続ノードとする場合、
前記データ転送を行うかどうかの指示情報の値がデータ転送を行う必要があることを表すと判断した場合、データを前記メイン接続ノードに転送するように設定される送信モジュールを更に備える請求項１６又は１７に記載のアクセスネットワークエレメント。
【請求項１９】
前記アクセスネットワークエレメントをリソース接続ノードとする場合、前記メイン接続ノードの指示に従って、接続の削除／移出を対応的に完了した後、前記メイン接続ノードに、削除／移出されたすべての接続の識別情報を少なくとも含む前記削除／移出されたすべての接続の情報を送信するように設定される送信モジュールを更に備える請求項１１、１６又は１７のいずれか１項に記載のアクセスネットワークエレメント。
【請求項２０】
前記送信モジュールの送信した前記削除／移出されたすべての接続の情報は、各削除／移出された接続がデータ転送を行うかどうかの指示を更に含み、
又は、
前記送信モジュールの送信した前記削除／移出されたすべての接続の情報は、各削除／移出された接続でのデータ伝送の伝送シーケンス状態を更に含み、前記伝送シーケンス状態は、アップリンクパケットデータプロトコル層サービスデータパケット（ＰＤＣＰ  ＳＤＵ）の受信状態指示、最初に欠落したアップリンクＰＤＣＰ  ＳＤＵのカウント番号及び最初に欠落したダウンリンクＰＤＣＰ  ＳＤＵのカウント番号のうちの任意の１つ又は任意のいくつかの組み合せを含み、
又は、
前記送信モジュールは更に、前記メイン接続ノードの指示に従って、接続の削除／移出を対応的に完了した後、前記メイン接続ノードに各削除／移出された接続でのデータ伝送の伝送シーケンス状態を送信するように設定され、前記伝送シーケンス状態は、アップリンクＰＤＣＰ  ＳＤＵの受信状態指示、最初に欠落したアップリンクＰＤＣＰ  ＳＤＵのカウント番号及び最初に欠落したダウンリンクＰＤＣＰ  ＳＤＵのカウント番号のうちの任意の１つ又は任意のいくつかの組み合せを含む
請求項１９に記載のアクセスネットワークエレメント。
【発明の詳細な説明】
【技術分野】
【０００１】
本発明は移動通信分野に関し、特に接続管理方法及びアクセスネットワークエレメントに関する。
【背景技術】
【０００２】
１９８０年代の第１世代移動通信システムから現在まで発展してきて、移動通信技術は４Ｇ（第４世代移動通信技術）時代に入り、ユーザの移動通信需要は単一の音声サービスから、音声及び基本的なデータサービスに至って、更にデータサービスが爆発的に増加するという過程を経て、移動通信は徐々に現在のモバイルインターネット時代に入る。モバイルインターネット時代で、新たなモバイルアプリケーション需要、特に高品質、高効率（高速）、低遅延のモバイルアプリケーション需要は爆発的に増加し、国際電気通信連合（Ｉｎｔｅｒｎａｔｉｏｎａｌ  Ｔｅｌｅｃｏｍｍｕｎｉｃａｔｉｏｎｓ  Ｕｎｉｏｎ、ＩＴＵと略称する）の予測によると、２０１０年から２０１５年まで、移動通信サービスは、以前の移動通信サービスに対して、１５〜３０倍の増加が発生し、２０２０年まで、移動通信サービスは５００倍を超える増加が発生する可能性が高い。
【０００３】
移動通信サービスの爆発的な増加及びユーザのモバイル通信体験へのより高い期待、例えばより高いスループット（処理能力）、より低い遅延、より速い通信速度、より安いコストは、いずれも現有の移動通信技術及び移動通信ネットワークが更に発展してアップグレードするように駆使し、ネットワーク機能の拡張、ネットワークカバレッジの強化、異なるネットワーク、異なるセルの間の連携強化、ネットワーク配置の柔軟性の向上、ネットワーク配置のコスト等の削減を含む。
【０００４】
ユーザの通信行為及び通信習慣の統計から、大部分の高データトラフィックの通信が屋内環境及びホットスポット領域、例えば、マーケット、学校、ユーザ宅、大型公演、集会会場等に集中的に発生することを見出し、屋内環境及びホットスポット領域の分布が広い範囲にバラバラであり、単一の領域範囲が小さく、ユーザが集中する等の特徴を考慮して、低電力ノード（Ｌｏｗｅｒ  Ｐｏｗｅｒ  Ｎｏｄｅ、ＬＰＮと略称する）が機運に乗じて出現する。概念からみれば、ＬＰＮは、送信パワーが従来のマクロネットワークにおけるマクロノード（Ｍａｃｒｏ  Ｎｏｄｅ）又は基地局（Ｂａｓｅ  Ｓｔａｔｉｏｎ、ＢＳと略称する）の送信パワーより低い無線アクセスネットワークノードを意味し、ＬＰＮはピコノード（Ｐｉｃｏ  Ｎｏｄｅ）、フェムトセル（Ｆｅｍｔｏ／Ｈｏｍｅ（ｅ）ＮＢ）及び他の出現する可能性がある、いかなる送信パワーが従来のｍａｃｒｏ  ｎｏｄｅ又はＢＳよりも低いセルラーノードであってもよい。ＬＰＮの配置は、効果的にネットワーク機能を拡張し、ネットワークカバレッジを強化し、最終的に端末ユーザのスループットを向上させ、端末ユーザの通信体験を改善することができる。また、ＬＰＮの送信パワーが低く、プラグアンドプレイが可能であるため、ネットワークオペレータは必要に応じて柔軟的で容易にＬＰＮを配置することができ、ひいては、ネットワークオペレータはＬＰＮの配置権限を企業、学校等のユーザ、ひいては個人ユーザに開放して与えることができ、それによりネットワーク配置の柔軟性を向上させ、同時にネットワーク配置及び運営維持コストを削減する。
【０００５】
ネットワークにとっては、ネットワーク機能を拡張し、ネットワークカバレッジを強化し、ネットワーク配置の柔軟性を向上させ、ネットワーク配置のコストを削減し、ユーザにとっては、ユーザの通信体験のターゲットを向上させ、即ちユーザ端末装置（Ｕｓｅｒ  Ｅｑｕｉｐｍｅｎｔ、ＵＥと略称する）のスループットを向上させ、ユーザ端末装置のモバイル性能を向上させる、等のために、ＬＰＮが多く配置されることが期待可能であり、例えば、４Ｇ  ＬＴＥ（Ｌｏｎｇ  Ｔｅｒｍ  Ｅｖｏｌｕｔｉｏｎ、ロングタームエボリューション）システムに対しては、３ｇｐｐ（ｔｈｅ  ３ｒｄ  Ｇｅｎｅｒａｔｉｏｎ  Ｐａｒｔｎｅｒ  Ｐｒｏｊｅｃｔ、第３世代パートナーシッププロジェクト）バージョン１２（Ｒｅｌｅａｓｅ１２、Ｒ１２と略称する）及びＲ１２＋の後、従来のマクロネットワークを踏まえて、ＬＰＮが多く配置されることが期待可能であり、既に屋内環境を含み屋外環境をも含む。
【０００６】
ユーザの通信体験を改善し、特にユーザ装置のスループット及びモバイル性能を向上させるために、現在、多くのオペレータ及び機器メーカーはいずれも新たな技術的解決手段を模索する傾向があり、マルチ接続はその１つである。マルチ接続は、ユーザ装置が同時に少なくとも２つの異なるアクセスネットワークエレメントのリソースを使用することができることを意味し、この少なくとも２つの異なるアクセスネットワークエレメント及びそのマルチ接続で発揮する機能は、アクセスネットワークエレメントの機能的特徴に依存しなくてもよく、例えば、この少なくとも２つの異なるアクセスネットワークエレメントはいずれも従来のマクロノードであってもよく、又はいずれも低電力ノードであってもよく、一方の部分がマクロノードで、他方の部分が低電力ノードであってもよい。低電力ノードが、マクロノードのカバーしたホットスポット領域及び屋内カバレッジ領域に多く配置される可能性があることの特徴を考慮して、ユーザ装置がマクロノード及び低電力ノードのリソースを同時に使用するマルチ接続手段は、ユーザ通信体験を大幅に改善し、新たなモバイル需要を満たすことを予測することができる。
【０００７】
図１に示すように、ＬＴＥシステムは、コアネットワーク（Ｃｏｒｅ  Ｎｅｔｗｏｒｋ、ＣＮと略称する）のネットワークエレメントの移動管理エンティティ（Ｍｏｂｉｌｉｔｙ  Ｍａｎａｇｅｍｅｎｔ  Ｅｎｔｉｔｙ、ΜΜΕと略称する）及びサービスゲートウェイ（Ｓｅｒｖｉｎｇ  Ｇａｔｅｗａｙ、ＳＧＷと略称する）、アクセスネットワーク（Ｒａｄｉｏ  Ａｃｃｅｓｓ  Ｎｅｔｗｏｒｋ、ＲＡＮ）ネットワークエレメントの基地局（ｅＮＢｌとｅＮＢ２）、及びＵＥを含む。ＵＥは、エアインターフェース（Ｕｕインターフェース）を介してサービス基地局ｅＮＢｌと通信し、サービス基地局ｅＮＢｌは、コントロールプレーンＳ１インターフェースプロトコル、Ｓ１−ＭＭＥ／Ｓ１−Ｃを介して、ＭＭＥとシグナリング伝送を実現し、ユーザプレーンＳ１インターフェースプロトコル、Ｓ１−Ｕを介して、ユーザプレーンデータ伝送を実現する。サービス基地局ｅＮＢｌは、基地局の間のＸ２インターフェースプロトコルを介して、隣接基地局ｅＮＢ２との間のコントロールプレーンシグナリング及びユーザプレーンデータの伝送を実現する。図１から分かるように、ロングタームエボリューションシステムにおいて、１つのＵＥは１つのみの基地局との接続を実現し、該１つの基地局のリソースのみを使用し、該１つのＵＥも１つのみのＭＭＥ／ＳＧＷと接続を確立する。
【０００８】
図２はロングタームエボリューションシステムにマルチ接続を導入した後のシステム構造図であり、二重接続を例として、図１の単一接続システム構造と比べて、ＵＥは、エアインターフェースＵｕｌ及びＵｕ２を介して、それぞれ基地局ｅＮＢｌ及び基地局ｅＮＢ２に接続することができ、即ち、ＵＥはｅＮＢｌ及びｅＮＢ２のリソースを同時に使用し、エアインタフェースリソースの二重接続を実現することができる。コアネットワークコントロールプレーンのＭＭＥに対して、ＵＥは、基地局ｅＮＢｌのみを介して、ＭＭＥに接続でき、それにより、エアインターフェース二重接続を導入した後もたらしたコアネットワークに対する修正及びシグナリング衝突を回避する。コアネットワークユーザプレーンにおいて、二重接続の目的の１つはＵＥのスループットを向上させることであるため、異なるネットワーク構造の設計の需要に応じて、ＵＥはｅＮＢｌのＳ１−Ｕインターフェースを介してＳＧＷにアクセスする以外、追加的に、ＵＥは更にｅＮＢ２のＳ１−Ｕインターフェースを介してＳＧＷにアクセスすることもできる。また、ｅＮＢｌとｅＮＢ２との間にＸｎインターフェースを確立し、コントロールプレーン情報のインタラクションを実現し、又はコントロールプレーン情報とユーザプレーン情報のインタラクションを同時に実現する。図２において、ＵＥが二重接続を実現する２つの基地局のカテゴリーは限定されるものではなく、ｅＮＢｌ及びｅＮＢ２はいずれもマクロノードであってもよく、いずれも低電力ノードであってもよく、一方がマクロノードで、他方が低電力ノードであってもよく、又は他の任意の可能なアクセスネットワークノードであってもよく、ｅＮＢｌ及びｅＮＢ２の規格も限定されるものではなく、いずれも時分割復信（Ｔｉｍｅ  Ｄｉｖｉｓｉｏｎ  Ｄｕｐｌｅｘｉｎｇ、ＴＤＤと略称する）又は周波数分割復信（Ｆｒｅｑｕｅｎｃｙ  Ｄｉｖｉｓｉｏｎ  Ｄｕｐｌｅｘｉｎｇ、ＦＤＤと略称する）規格であってもよく、又は一方がＴＤＤで、他方がＦＤＤ規格であってもよい。また、図２の二重接続は例示的なものに過ぎず、ＵＥは更に３つ以上のｅＮＢとのマルチ接続手段を実現することができる。
【０００９】
しかし、マルチ接続手段の出現に伴って、ユーザ装置は従来の１つのアクセスネットワークエレメントのリソースのみを使用できることから、２つ又はそれ以上のアクセスネットワークエレメントのリソースを使用できることに拡張され、言い換えれば、ユーザ装置は、従来の１つのアクセスネットワークエレメントのみに接続できることから、２つ又は３つ以上のアクセスネットワークエレメントに接続できることに拡張され、接続管理に対して新たな課題を提起し、新たな接続管理手段を見つける必要がある。
【発明の概要】
【発明が解決しようとする課題】
【００１０】
本発明の実施例は、関連するマルチ接続を管理することができないという欠陥を克服するための接続管理方法及びアクセスネットワークエレメントを提供する。
【課題を解決するための手段】
【００１１】
上記問題を解決するために、本発明の実施例は接続管理方法を提供しており、ユーザ装置（ＵＥ）が同時に少なくとも２つのアクセスネットワークエレメントと接続を確立するシーンに適用され、
メイン接続ノードは、前記ＵＥと１つのリソース接続ノードとの間の少なくとも一部の接続を削除又は移動する必要があると確定した場合、前記少なくとも一部の接続を対応的に削除又は移動するように前記リソース接続ノードに指示し、前記リソース接続ノード又は前記メイン接続ノードは、前記少なくとも一部の接続を対応的に削除又は移動するように前記ＵＥに指示することを含む。
【００１２】
好ましくは、
前記少なくとも一部の接続を対応的に削除又は移動するように前記リソース接続ノードに指示することは、
前記メイン接続ノードが、前記リソース接続ノードがベアリングするユーザプレーンデータ伝送用の少なくとも一部の無線アクセスベアラ（ＲＡＢ）を対応的に削除又は移動するように前記リソース接続ノードに指示することを含む。
【００１３】
好ましくは、
前記メイン接続ノードが、前記少なくとも一部の接続を対応的に削除又は移動するように前記ＵＥに指示することは、
前記メイン接続ノードが、前記少なくとも一部の接続を対応的に削除又は移動するように前記リソース接続ノードに指示すると同時に、前記少なくとも一部の接続を対応的に削除又は移動するように前記ＵＥに指示すること、又は、
前記メイン接続ノードが、前記リソース接続ノードが前記少なくとも一部の接続を対応的に削除又は移動したことを知った後、前記少なくとも一部の接続を対応的に削除又は移動するように前記ＵＥに指示することを含む。
【００１４】
好ましくは、
前記リソース接続ノードが、前記少なくとも一部の接続を対応的に削除又は移動するように前記ＵＥに指示することは、
前記リソース接続ノードが、前記メイン接続ノードの指示を受信した後、前記少なくとも一部の接続を対応的に削除又は移動するように前記ＵＥに指示することを含む。
【００１５】
好ましくは、
前記少なくとも一部の接続を削除又は移動するように前記ＵＥに指示することは、
前記ＵＥと前記リソース接続ノードとの間の少なくとも１つのユーザプレーンデータ無線ベアラ（ＤＲＢ）、又は前記少なくとも１つのユーザプレーンＤＲＢ及び前記ＵＥと前記リソース接続ノードとの間の少なくとも１つのコントロールプレーンシグナリング無線ベアラ（ＳＲＢ）を削除又は移動するように前記ＵＥに指示することを含む。
【００１６】
好ましくは、
前記メイン接続ノードが、前記ＵＥと前記１つのリソース接続ノードとの間の少なくとも一部の接続を削除又は移動する必要があると確定することは、
前記メイン接続ノードが、受信した測定レポート、無線リソース管理（ＲＲＭ）アルゴリズム、受信したリソースノードの負荷情報及びサービス伝送状況のうちの少なくとも１つの要素に基づいて、前記ＵＥと１つのリソース接続ノードとの間の少なくとも一部の接続を削除又は移動する必要があるかどうかを判断することを含む。
【００１７】
好ましくは、
前記少なくとも一部の接続を対応的に削除又は移動するように前記リソース接続ノードに指示することは、
前記リソース接続ノードに接続再設定要求を開始することを含み、前記接続再設定要求は、前記メイン接続ノードにより削除すると決められた、又はリソース接続ノードから移出すると決められた接続の情報を含み、
前記接続の情報は少なくとも前記接続の識別情報を含む。
【００１８】
好ましくは、
前記接続の情報は、前記メイン接続ノードの提供した各削除／移出された接続が前記リソース接続ノードとメイン接続ノードのＸｎインターフェースでデータ転送（ｄａｔａ  ｆｏｒｗａｒｄｉｎｇ）を行うアップリンク・ダウンリンクユーザプレーンＧＰＲＳトンネルプロトコルトンネル識別情報を更に含む。
【００１９】
好ましくは、
前記接続の情報は、前記各削除／移出された接続がデータ転送を行うかどうかの指示情報を更に含み、
前記リソース接続ノードは、データ転送を行うかどうかの指示情報の値がデータ転送を行う必要があることを表すと判断した場合、データを前記メイン接続ノードに転送する。
【００２０】
好ましくは、前記方法は、
前記リソース接続ノードは、前記メイン接続ノードの指示に従って、接続の削除／移出を対応的に完了した後、前記メイン接続ノードに、前記削除／移出されたすべての接続の識別情報を少なくとも含む削除／移出されたすべての接続の情報を送信することを更に含む。
【００２１】
好ましくは、
前記削除／移出されたすべての接続の情報は、各削除／移出された接続がデータ転送を行うかどうかの指示を更に含む。
【００２２】
好ましくは、
前記すべての接続の情報は、各削除／移出された接続でのデータ伝送の伝送シーケンス状態を更に含み、前記伝送シーケンス状態は、アップリンクパケットデータプロトコル層サービスデータパケット（ＰＤＣＰ  ＳＤＵ）の受信状態指示、最初に欠落したアップリンクＰＤＣＰ  ＳＤＵのカウント番号及び最初に欠落したダウンリンクＰＤＣＰ  ＳＤＵのカウント番号のうちの任意の１つ又は任意のいくつかの組み合せを含む。
【００２３】
好ましくは、
前記リソース接続ノードは、前記メイン接続ノードの指示に従って、接続の削除／移出を対応的に完了した後、前記メイン接続ノードに各削除／移出された接続でのデータ伝送の伝送シーケンス状態を送信し、前記伝送シーケンス状態は、アップリンクＰＤＣＰ  ＳＤＵの受信状態指示、最初に欠落したアップリンクＰＤＣＰ  ＳＤＵのカウント番号及び最初に欠落したダウンリンクＰＤＣＰ  ＳＤＵのカウント番号のうちの任意の１つ又は任意のいくつかの組み合せを含む。
【００２４】
好ましくは、
前記メイン接続ノードにより送信された指示を受信した後、前記リソース接続ノードは前記ＵＥと前記リソース接続ノードとの間のすべての接続を削除する。
【００２５】
好ましくは、前記方法は、
前記ＵＥは、前記少なくとも一部の接続を対応的に削除又は移動した後、前記メイン接続ノードに応答を送信することを更に含む。
【００２６】
好ましくは、前記方法は、
前記ＵＥがフィードバックした前記応答を受信した後、削除又は移動が成功したことを前記リソース接続ノードに通知することを更に含む。
【００２７】
対応的に、本発明の実施例はアクセスネットワークエレメントを更に提供しており、
前記アクセスネットワークエレメントをメイン接続ノードとする場合、前記ＵＥと１つのリソース接続ノードとの間の少なくとも一部の接続を削除又は移動する必要があるかどうかを確定するように設定される確定モジュール、
前記アクセスネットワークエレメントをメイン接続ノードとする場合、前記確定モジュールが、前記ＵＥと１つのリソース接続ノードとの間の少なくとも一部の接続を削除又は移動する必要があると確定した時、前記少なくとも一部の接続を対応的に削除又は移動するように前記リソース接続ノードに指示するように設定される指示モジュールを備える。
【００２８】
好ましくは、
前記指示モジュールは更に、前記アクセスネットワークエレメントをメイン接続ノードとする場合、前記確定モジュールが、前記ＵＥと前記１つのリソース接続ノードとの間の少なくとも一部の接続を削除又は移動する必要があると確定した時、前記少なくとも一部の接続を対応的に削除又は移動するように前記ＵＥに指示するように設定され、又は、前記アクセスネットワークエレメントをリソース接続ノードとする場合、メイン接続ノードにより送信された、少なくとも一部の接続を削除又は移動する指示を受信した後、前記少なくとも一部の接続を対応的に削除又は移動するように前記ＵＥに指示するように更に設定される。
【００２９】
好ましくは、
前記指示モジュールが、前記少なくとも一部の接続を対応的に削除又は移動するように前記リソース接続ノードに指示するように設定されることは、
前記指示モジュールが、前記リソース接続ノードがベアリングするユーザプレーンデータ伝送用の少なくとも一部の無線アクセスベアラ（ＲＡＢ）を対応的に削除又は移動するように前記リソース接続ノードに指示するように設定されることを含む。
【００３０】
好ましくは、
前記指示モジュールが、前記アクセスネットワークエレメントをメイン接続ノードとする場合、前記少なくとも一部の接続を対応的に削除又は移動するように前記ＵＥに指示するように設定されることは、
前記指示モジュールが、前記アクセスネットワークエレメントをメイン接続ノードとする場合、前記少なくとも一部の接続を対応的に削除又は移動するように前記リソース接続ノードに指示すると同時に、前記少なくとも一部の接続を対応的に削除又は移動するように前記ＵＥに指示するように設定されること、又は、
前記指示モジュールが、前記アクセスネットワークエレメントをメイン接続ノードとする場合、前記リソース接続ノードが前記少なくとも一部の接続を対応的に削除又は移動したことを知った後、前記少なくとも一部の接続を対応的に削除又は移動するように前記ＵＥに指示するように設定されることを含む。
【００３１】
好ましくは、
前記指示モジュールが、前記少なくとも一部の接続を削除又は移動するように前記ＵＥに指示するように設定することは、
前記指示モジュールが、前記ＵＥと前記リソース接続ノードとの間の少なくとも１つのユーザプレーンデータ無線ベアラ（ＤＲＢ）、又は前記少なくとも１つのユーザプレーンＤＲＢ及び前記ＵＥと前記リソース接続ノードとの間の少なくとも１つのコントロールプレーンシグナリング無線ベアラ（ＳＲＢ）を削除又は移動するように前記ＵＥに指示するように設定されることを含む。
【００３２】
好ましくは、
前記確定モジュールが、前記ＵＥと前記１つのリソース接続ノードとの間の少なくとも一部の接続を削除又は移動する必要があるかどうかを確定するように設定されることは、
前記確定モジュールが、受信した測定レポート、無線リソース管理（ＲＲＭ）アルゴリズム、受信したリソースノードの負荷情報及びサービス伝送状況のうちの少なくとも１つの要素に基づいて、前記ＵＥと前記１つのリソース接続ノードとの間の少なくとも一部の接続を削除又は移動する必要があるかどうかを判断するように設定されることを含む。
【００３３】
好ましくは、
前記指示モジュールが、前記少なくとも一部の接続を対応的に削除又は移動するように前記リソース接続ノードに指示するように設定されることは、
前記指示モジュールが、前記リソース接続ノードに接続再設定要求を開始するように設定されることを含み、前記接続再設定要求は、前記メイン接続ノードにより削除すると決められた、又はリソース接続ノードから移出すると決められた接続の情報を含み、
前記接続の情報は少なくとも前記接続の識別情報を含む。
【００３４】
好ましくは、
前記接続の情報は、前記指示モジュールの提供した各削除／移出された接続が前記リソース接続ノードと前記メイン接続ノードのＸｎインターフェースでデータ転送を行うアップリンク・ダウンリンクユーザプレーンＧＰＲＳトンネルプロトコルトンネル識別情報を更に含む。
【００３５】
好ましくは、
前記接続の情報は、前記各削除／移出された接続がデータ転送を行うかどうかの指示情報を更に含み、
前記アクセスネットワークエレメントをリソース接続ノードとする場合、
データ転送を行うかどうかの指示情報の値がデータ転送を行う必要があることを表すと判断した場合、データを前記メイン接続ノードに転送するように設定される送信モジュールを更に備える。
【００３６】
好ましくは、前記アクセスネットワークエレメントは、
前記アクセスネットワークエレメントをリソース接続ノードとする場合、前記メイン接続ノードの指示に従って、接続の削除／移出を対応的に完了した後、前記メイン接続ノードに、前記削除／移出されたすべての接続の識別情報を少なくとも含む削除／移出されたすべての接続の情報を送信するように設定される送信モジュールを更に備える。
【００３７】
好ましくは、
前記送信モジュールの送信した前記削除／移出されたすべての接続の情報は、各削除／移出された接続がデータ転送を行うかどうかの指示を更に含む。
【００３８】
好ましくは、
前記送信モジュールの送信した前記削除／移出されたすべての接続の情報は、各削除／移出された接続でのデータ伝送の伝送シーケンス状態を更に含み、前記伝送シーケンス状態は、アップリンクパケットデータプロトコル層サービスデータパケット（ＰＤＣＰ  ＳＤＵ）の受信状態指示、最初に欠落したアップリンクＰＤＣＰ  ＳＤＵのカウント番号及び最初に欠落したダウンリンクＰＤＣＰ  ＳＤＵのカウント番号のうちの任意の１つ又は任意のいくつかの組み合せを含む。
【００３９】
好ましくは、
前記送信モジュールは更に、前記メイン接続ノードの指示に従って、接続の削除／移出を対応的に完了した後、前記メイン接続ノードに各削除／移出された接続でのデータ伝送の伝送シーケンス状態を送信するように設定され、前記伝送シーケンス状態は、アップリンクＰＤＣＰ  ＳＤＵの受信状態指示、最初に欠落したアップリンクＰＤＣＰ  ＳＤＵのカウント番号及び最初に欠落したダウンリンクＰＤＣＰ  ＳＤＵのカウント番号のうちの任意の１つ又は任意のいくつかの組み合せを含む。
【発明の効果】
【００４０】
本発明の実施例は、二重接続アーキテクチャでＵＥとリソース接続ノードとの間の接続管理を実現し、特にリソース接続ノードがＵＥに情報伝送を提供することにもはや適していない、又はＵＥにこの前に確立されたすべての接続の情報伝送を提供することにもはや適していない場合の接続管理を実現する。
【図面の簡単な説明】
【００４１】
【図１】図１は、関連技術におけるロングタームエボリューションシステムのシステム構造図である。
【図２】図２は、ロングタームエボリューションシステムに二重接続を導入した後のシステム構造図である。
【図３】図３は、本発明の実施例に係る接続管理方法の方法フローチャートである。
【図４】図４は、本発明の実施例に係る接続管理方法の適用シーンの非限定的な模式図である。
【図５】図５は、本発明の実施形態１の二重接続無線インターフェースコントロールプレーン構造模式図。
【図６】図６は、本発明の実施形態１の実施例１に係る接続管理フローチャートである。
【図７】図７は、本発明の実施形態１の実施例２に係る接続管理フローチャートである。
【図８】図８は、本発明の実施形態１の実施例１に係る最適化接続管理フローチャートである。
【図９】図９は、本発明の実施形態１の実施例２に係る最適化接続管理フローチャートである。
【図１０】図１０は、本発明の実施形態１の実施例３に係る接続管理フローチャートである。
【図１１】図１１は、本発明の実施形態１の方法フローチャートである。
【図１２】図１２は、本発明の実施形態２の二重接続無線インターフェースコントロールプレーン構造模式図である。
【図１３】図１３は、本発明の実施形態２の実施例１に係る接続管理フローチャートである。
【図１４】図１４は、本発明の実施形態２の実施例２に係る接続管理フローチャートである。
【図１５】図１５は、本発明の実施形態２の実施例３に係る接続管理フローチャートである。
【図１６】図１６は、本発明の実施形態２の方法フローチャートである。
【発明を実施するための形態】
【００４２】
以下、図面を参照しながら本発明の実施例を詳細に説明する。矛盾が生じない場合、本願における実施例及び実施例における特徴は互いに任意に組み合せることができる。
【００４３】
図２において、エアインターフェースで、ＵＥはＵｕｌ及びＵｕ２を介してｅＮＢｌ及びｅＮＢ２に同時に接続されるが、コアネットワークに対する修正及びシグナリング衝突を軽減させるために、コントロールプレーンＵＥはｅＮＢｌのみを介してＭＭＥに接続され、即ちｅＮＢｌは、ＵＥとＭＭＥのコントロールプレーンがアンカーにアクセスすることを実現する。本実施例において、ＵＥコントロールプレーンがＭＭＥのアンカーにアクセスする機能を実現するアクセスネットワークエレメント（例えば、図２における基地局ｅＮＢｌ）をメイン接続ノードと称し、ＵＥが接続した他のアクセスネットワークエレメント（例えば、図２における基地局ｅＮＢ２）をリソース接続ノードと称する。メイン接続ノードはＵＥに情報伝送を提供する以外、リソース接続ノードもＵＥに情報伝送を提供することができ、ＵＥとメイン接続ノード及びリソース接続ノードとの間の情報伝送は、ＵＥのハードウェア能力及びネットワークの構成状況に応じて、同時に伝送してもよく、時分割多重化の方式で協調伝送してもよい。
【００４４】
本発明の実施例は、接続管理方法、特にリソース接続ノードがＵＥに情報伝送を提供することにもはや適していない場合の接続管理方法、即ち、ＵＥとリソース接続ノードとの間の接続を削除する必要がある状況、又はＵＥとリソース接続ノードとの間の接続をメイン接続ノードに移動する必要があり、その後メイン接続ノードが更に前記接続を他のリソース接続ノードに移動できる状況に対する接続管理方法を提案する。上記ＵＥとリソース接続ノードとの間の接続は、ＵＥとリソース接続ノードとの間のユーザプレーンデータ接続を少なくとも含み、ＵＥとリソース接続ノードとの間のコントロールプレーンシグナリング接続を更に含んでもよい。
【００４５】
図３に示すように、ＵＥは当初は２つ以上のアクセスネットワークエレメントと接続を確立し、接続管理方法であって、上記マルチ接続シーンに適用され、下記のステップを含む。
【００４６】
３０１：メイン接続ノードは、ＵＥと１つのリソース接続ノードとの間の一部又は全部の接続を削除又は移動する必要があることを判断する。
【００４７】
そのうち、メイン接続ノードは、受信した測定レポート、ＲＲＭ（Ｒａｄｉｏ  Ｒｅｓｏｕｒｃｅ  Ｍａｎａｇｅｍｅｎｔ、無線リソース管理）アルゴリズム、受信したリソース接続ノードの負荷情報及びサービス伝送状況のうちの任意の１つ又は任意のいくつかの組み合せの要素に基づいて、ＵＥと１つのリソース接続ノードとの間の一部又は全部の接続を削除又は移動する必要があるかどうかを判断することができる。
【００４８】
３０２：メイン接続ノードは、削除又は移動操作を開始し、前記操作は以下の３０２−１と３０２−２を含む。
【００４９】
３０２−１：メイン接続ノードは、前記接続を削除又は移動するように前記リソース接続ノードに指示し、
そのうち、メイン接続ノードが前記リソース接続ノードに指示を出して削除又は移動した前記接続は、前記リソース接続ノードがベアリングする上記ＵＥのユーザプレーンデータ伝送用の１つ以上の無線アクセスベアラ（Ｒａｄｉｏ  Ａｃｃｅｓｓ  Ｂｅａｒｅｒ、ＲＡＢと略称する）を指し、前記無線アクセスベアラは、エアインターフェースにおいて、即ち前記リソース接続ノードと前記ＵＥとの間のユーザプレーンデータ無線ベアラ（Ｄａｔａ  Ｒａｄｉｏ  Ｂｅａｒ、ＤＲＢと略称する）を指す。
【００５０】
３０２−２：メイン接続ノードは前記接続を削除又は移動するようにＵＥに指示し、又は、リソース接続ノードはメイン接続ノードが送信してきた指示を受信した後、前記接続を削除又は移動するように前記ＵＥに指示する。
【００５１】
前記メイン接続ノード又は前記リソース接続ノードが、前記接続を削除又は移動するようにＵＥに指示する操作は、メイン接続ノード又は該リソース接続ノードがエアインターフェースメッセージを介して該接続を再設定することにより実現されてもよく、前記エアインターフェースメッセージにおいて、前記接続を再設定するＵＥの操作が、前記接続を削除することであるか、前記接続を削除して前記接続をＵＥとメイン接続ノードとの間に新規作成することであるかを指示し、後者は前記接続をメイン接続ノードに移動することに相当する。
【００５２】
そのうち、メイン接続ノード又はリソース接続ノードがＵＥに指示を出して削除又は移動した前記接続は、前記ＵＥと前記リソース接続ノードとの間の１つ以上のユーザプレーンＤＲＢ、又は前記１つ以上のユーザプレーンＤＲＢ及びＵＥと前記リソース接続ノードとの間の１つ以上のコントロールプレーンシグナリング無線ベアラ（Ｓｉｇｎａｌｉｎｇ  Ｒａｄｉｏ  Ｂｅａｒ、ＳＲＢと略称する）を指す。
【００５３】
そのうち、３０２−２において、メイン接続ノードは前記接続を削除又は移動するように前記ＵＥに指示すると、操作３０２−１と操作３０２−２は順に実行されてもよく、並行に実行されてもよく、３０２−２において、リソース接続ノードはメイン接続ノードの指示を受信した後、前記接続を削除又は移動するように前記ＵＥに指示すると、操作３０２−１と操作３０２−２は順に実行される。
【００５４】
上記方法により、ＵＥとリソース接続ノードとの間の一部又は全部の接続を削除する状況に対して、リソース接続ノード及びＵＥは前記削除された一部又は全部の接続で情報を受信及び送信することを停止する。ＵＥとリソース接続ノードとの間の一部又は全部の接続をメイン接続ノードに移動する状況に対して、移動が成功した後、メイン接続ノード及びＵＥはメイン接続ノードに移動された接続で情報を引き続き受信及び送信し、それにより接続が削除又は移動された後のデータの連続性を実現する。
【００５５】
実施する場合、上記ＵＥと接続を確立した２つ以上のアクセスネットワークエレメントは基地局であってもよいが、基地局に限られない。
【００５６】
図４は、上記接続管理方法が二重接続シーンに適用される非限定的な模式図であり、ＵＥはＡ点において、ノード１が配置されたセル１とノード２が配置されたセル２の共同カバレッジ領域内に位置し、従って、ＵＥはＡ点においてノード１及びノード２と接続を同時に確立し、そのうち、ノード１はＵＥのメイン接続ノードであり、ノード２はＵＥのリソース接続ノードである。ＵＥの移動ルートは図における矢印実線で示され、ＵＥがＡ点からＢ点に移動した時、セル２の信号品質が劣化し、ＵＥに情報伝送を提供することにもはや適合しなくなり、従って、ＵＥとノード２との間の接続を削除する必要があり、又はＵＥとノード２との間の接続をメイン接続ノードに移動する必要がある。
【００５７】
以下、非限定的な実施例を例として、図面を参照しながら、本発明の接続管理手段を詳細について説明する。以下の各非限定的な実施形態はいずれもＬＴＥシステムでのＵＥと２つのノードとの二重接続を例とするが、本発明の実施例が、ＵＥが３つ以上のノードと接続する例に応用できることを限定せず、本発明の実施例が他のワイヤレスネットワークシステムに応用できることを限定しない。
【００５８】
実施形態１
図５は本実施形態での二重接続無線インターフェースコントロールプレーン構造の模式図である。そのうち、メイン接続ノード及びＵＥにはいずれも無線リソースコントロール（Ｒａｄｉｏ  Ｒｅｓｏｕｒｃｅ  Ｃｏｎｔｒｏｌ、ＲＲＣと略称する）エンティティが配置され、メイン接続ノード及びＵＥでのＲＲＣエンティティは、関連技術のＬＴＥシステムにおけるあらゆるＲＲＣ機能を実現し、システムブロードキャストメッセージの送受信及びＲＲＣ接続コントロールのすべての機能を含む。リソース接続ノードにはＲＲＣエンティティ（図５の灰色破線フレームで示す）が配置されてもよく、ＲＲＣエンティティが配置されなくてもよい。リソース接続ノードにＲＲＣエンティティが配置されない状況に対して、メイン接続ノードは、ＵＥとの間のＲＲＣメッセージ伝送を担当し、リソース接続ノードにＲＲＣエンティティが配置された状況に対して、メイン接続ノードとＵＥとの間にＲＲＣメッセージを伝送することができる以外、リソース接続ノードとＵＥとの間にＲＲＣメッセージを伝送することもできる。実施形態１において、リソース接続ノードにＲＲＣエンティティが配置されるか配置されないかにもかかわらず、すべてのＲＲＣメッセージはメイン接続ノードとＵＥとの間に伝送される。
【００５９】
実施例１
本実施例は図３に示すシーンに適用され、ＵＥはもともとはメイン接続ノードとリソース接続ノードとの間に二重接続を確立したが、その後、ＵＥはＵＥの所在するリソース接続ノードがカバーするセル（セル２）の信号品質が劣化したことを検出し、ＵＥが引き続き前記リソース接続ノードにおいて接続を維持することにもはや適合されなくなり、本実施例において、メイン接続ノードは、ＵＥと前記リソース接続ノードとの間の接続をメイン接続ノードに移動することを確定する。図６に示すように、接続管理方法は以下の６０１〜６０７を含む。
【００６０】
６０１：ＵＥはメイン接続ノードに測定レポートを報告する。前記測定レポートはセル２の測定結果を含む。
【００６１】
６０２：メイン接続ノードは測定レポートを受信した後、測定レポート及びメイン接続ノードのＲＲＭに基づいて、ＵＥのリソース接続ノードでの接続をメイン接続ノードに移動することを決める。
【００６２】
本実施例において、ＵＥの所在するリソース接続ノードがカバーするセル信号品質が劣化し、メイン接続ノードは測定レポート及びＲＲＭに基づいて判断して、ＵＥのリソース接続ノードでの接続をメイン接続ノードに移動することを決めたものであるが、これは、ＵＥの所在するリソース接続ノードがカバーするセル信号品質が劣化しておらず、依然としてＵＥに接続を引き続き提供することに適合する場合に、メイン接続ノードが自身のＲＲＭに基づいて、例えばメイン接続ノードが、メイン接続ノードリソースがＵＥのすべての接続にサービスを提供できるほど十分であると判断した場合、ＵＥのリソース接続ノードでの接続をメイン接続ノードに移動することを決めたことを制限するものではない。
【００６３】
６０３：メイン接続ノードはリソース接続ノードに接続再設定要求を送信する。
【００６４】
そのうち、接続再設定要求は、メイン接続ノードにより前記リソース接続ノードから移出することを決められた接続の情報を含む。前記移出された接続の情報は、前記接続の識別情報を含んでもよく、メイン接続ノードが提供する各移出された接続の該リソース接続ノードとメイン接続ノードのＸｎインターフェースでデータ転送を行うアップリンク・ダウンリンクＧＴＰ−Ｕ（ＧＰＲＳ  Ｔｕｎｎｅｌｌｉｎｇ  Ｐｒｏｔｏｃｏｌ  ｆｏｒ  ｔｈｅ  ｕｓｅｒ  ｐｌａｎｅ、ユーザプレーンＧＰＲＳトンネルプロトコル）トンネル識別情報を含んでもよく、各移出された接続がデータ転送を行うかどうかの指示を含んでもよい。
【００６５】
又は、本実施例において、セル２の信号品質が劣化し、メイン接続ノードはＵＥのリソース接続ノードでのすべての接続をメイン接続ノードに移動することを決め、このように、前記接続再設定要求メッセージはいかなる接続の情報を含まなくてもよく、前記接続再設定メッセージ自身がＵＥとリソース接続ノードとの間のすべての接続を移出することを表すように定義する。
【００６６】
「接続再設定要求」は本実施例の示例的なメッセージ名称のみであり、メッセージ名称は本例示に限定されず、この説明は本発明の実施例のすべての実施例におけるすべてのメッセージ名称に適用できる。
【００６７】
６０４：リソース接続ノードはメイン接続ノードに接続再設定応答を戻す。
【００６８】
接続再設定応答はリソース接続ノードが移出したすべての接続の情報を含み、前記接続の情報は接続の識別情報を含んでもよく、各移出された接続がデータ転送を行うかどうかの指示を含んでもよい。また、接続再設定応答メッセージは各移出された接続でのデータ伝送の伝送シーケンス状態を含んでもよく、例えば、アップリンクＰＤＣＰ  ＳＤＵ（Ｐａｃｋｅｔ  Ｄａｔａ  Ｃｏｎｖｅｒｇｅｎｃｅ  Ｐｒｏｔｏｃｏｌ  Ｓｅｒｖｉｃｅ  Ｄａｔａ  Ｕｎｉｔ、パケットデータプロトコル層サービスデータパケット）の受信状態指示、最初に欠落したアップリンクＰＤＣＰ  ＳＤＵのカウント番号及び最初に欠落したダウンリンクＰＤＣＰ  ＳＤＵのカウント番号のうちの任意の１つ又は任意のいくつかの組み合せを含む。
【００６９】
勿論、前記各移出された接続でのデータ伝送の伝送シーケンス状態は、接続再設定応答から独立したメッセージ（図６における６０４≡）を介してメイン接続ノードに送信されてもよい。
【００７０】
ステップ６０３はデータ転送を行う必要があると指示すると、ステップ６０４と同期に、リソース接続ノードは６０４−１によりデータをメイン接続ノードに転送する。
【００７１】
６０５：メイン接続ノードはＲＲＣ接続再設定メッセージをＵＥに送信し、ＵＥと上記リソース接続ノードとの間の接続をメイン接続ノードに再設定するようにＵＥに指示する。
【００７２】
６０６：ＵＥはＲＲＣ接続再設定応答をフィードバックする。
【００７３】
６０７：該ステップはオプションであり、メイン接続ノードはリソース接続ノードに、接続再設定が成功した、即ち接続移動が成功したことを通知する。
【００７４】
本実施例の上記操作に基づいて、ＵＥとリソース接続ノードとの間の一部又は全部の接続をメイン接続ノードに移動し、移動が成功した後、メイン接続ノード及びＵＥは、メイン接続ノードに移動された前記接続で情報を引き続き受信及び送信することができ、それにより接続移動とデータの連続を実現する。
【００７５】
最適化において、本実施例１における接続管理プロセスは図８によって最適化されてもよく、ステップ８０１、８０２、８０７はそれぞれステップ６０１、６０２、６０７と同じ、ステップ８０３、ステップ８０４、８０４’、８０４−１の説明はそれぞれステップ６０３、ステップ６０４、６０４’と同じ、ステップ８０３−ｘ、８０４−ｘの説明はそれぞれステップ６０５、６０６と同じである。即ち、上記プロセスとの区別は、メイン接続ノードが、ＵＥとリソース接続ノードとの間の接続を移動するようにリソース接続ノードに指示する操作（ステップ８０３、ステップ８０４、８０４’、８０４−１）とメイン接続ノードが、該ＵＥとリソース接続ノードとの間の接続を移動するようにＵＥに指示する操作（ステップ８０３−ｘ、ステップ８０４−ｘ）が、並行に実行することができることである。
【００７６】
実施例２
本実施例は、ＵＥはもともとはメイン接続ノードとリソース接続ノードとの間に二重接続を確立したが、その後、サービストラフィックが減少するため、ＵＥとネットワークのオーバーヘッドを低減させるために、ＵＥとリソース接続ノードとの間の接続を削除する必要があり、単一接続状態に戻るというシーンに適用できる。本実施例において、メイン接続ノードはＵＥとリソース接続ノードとの間の接続を削除する必要があると確定する。図７に示すように、接続管理方法は以下の７０１〜７０６を含む。
【００７７】
７０１：メイン接続ノードはサービストラフィックが低下したことを判断し、ＵＥとリソース接続ノードとの間のデータ伝送が終わった時、メイン接続ノードはＵＥのリソース接続ノードでの接続を削除することを決める。
７０２：メイン接続ノードはリソース接続ノードに接続再設定要求を送信し、前記接続再設定要求はメイン接続ノードにより削除することを決められた接続の情報を含む。又は本実施例において、ＵＥとリソース接続ノードとの間のデータ伝送がすでに終わり、前記接続再設定要求メッセージはいかなる接続の情報を含まなくてもよく、前記接続再設定メッセージ自身がＵＥとリソース接続ノードとの間のすべての接続を削除することを表すように定義する。
７０３：リソース接続ノードはメイン接続ノードに接続再設定応答を戻し、前記接続再設定応答はリソース接続ノードが削除したすべての接続の情報を含み、又は本実施例において、ＵＥとリソース接続ノードとの間のデータ伝送がすでに終わり、前記接続再設定応答メッセージはいかなる接続の情報を含まなくてもよく、即ちリソース接続ノードが該リソース接続ノードとＵＥとの間のすべての接続を削除したことを表すことができる。
７０４：メイン接続ノードはＲＲＣ接続再設定メッセージをＵＥに送信し、該ＲＲＣ接続再設定メッセージは上記リソース接続ノードとの間のすべての接続を削除するようにＵＥに指示する。
７０５：ＵＥはＲＲＣ接続再設定応答をフィードバックする。
７０６：該ステップはオプションであり、メイン接続ノードはリソース接続ノードに、接続再設定が成功した、即ち接続削除が成功したことを通知する。
【００７８】
好ましくは、本実施例における接続管理プロセスは図９によって最適化されてもよく、ステップ９０１、９０６の説明はそれぞれステップ７０１、７０６と同じ、ステップ９０２、９０３の説明はそれぞれステップ７０２、７０３と同じ、ステップ９０２−ｘ、９０３−ｘの説明はそれぞれステップ７０４、７０５と同じである。即ち、上記プロセスとの区別は、メイン接続ノードが、ＵＥとリソース接続ノードとの間の接続を削除するようにリソース接続ノードに指示する操作（ステップ９０２、９０３）とメイン接続ノードが、ＵＥとリソース接続ノードとの間の接続を削除するようにＵＥに指示する操作（ステップ９０２−ｘ、ステップ９０３−ｘ）が、並行に実行することができることである。
【００７９】
本実施例の以上の操作に基づいて、ＵＥとリソース接続ノードとの間の一部又は全部の接続を削除した後、リソース接続ノード及びＵＥは前記削除された一部又は全部の接続で情報を受信及び送信することを停止する。
【００８０】
実施例３
本実施例は、ＵＥはもともとはメイン接続ノードとリソース接続ノードとの間に二重接続を確立したが、その後、リソース接続ノードの負荷が大きすぎるため、ＵＥとリソース接続ノードとの間の一部又は全部の接続をメイン接続ノードに移動する必要があるというシーンに適用できる。本実施例において、メイン接続ノードはＵＥとリソース接続ノードとの間の一部又は全部の接続をメイン接続ノードに移動することを決めて開始する。図１０に示すように、本実施例の接続管理方法は以下の１００１〜１００７を含む。
【００８１】
１００１：リソース接続ノードは自身の負荷情報をメイン接続ノードに通知する。前記負荷情報は、ハードウェア負荷、トランスポート層負荷、無線リソース負荷及び干渉負荷等の情報のうちの任意の１種又は任意の複数種の組み合わせを含んでもよい。
【００８２】
１００２：メイン接続ノードは受信した負荷情報及びＲＲＭアルゴリズムに基づいて、リソース接続ノードでの一部又は全部の接続をメイン接続ノードに移動することを決める。勿論、メイン接続ノードの負荷及びＲＲＭアルゴリズム結果に基づいて、メイン接続ノードはリソース接続ノードでの一部又は全部の接続を削除することを選択してもよい。
【００８３】
１００３〜１００７は、実施例１のステップ６０３〜６０７の説明と同じであり、繰り返して説明しない。
【００８４】
好ましくは、図１０に示す接続管理プロセスで最適化してもよく、即ち、メイン接続ノードが、ＵＥとリソース接続ノードとの間の接続を移動するようにリソース接続ノードに指示する操作（ステップ１００３、１００３’、１００３−１、１００４）とメイン接続ノードが、ＵＥとリソース接続ノードとの間の接続を移動するようにＵＥに指示する操作（ステップ１００５、１００６）は、並行に実行することができる。
【００８５】
本実施例の以上の操作に基づいて、ＵＥとリソース接続ノードとの間の一部又は全部の接続をメイン接続ノードに移動することに成功した後、メイン接続ノード及びＵＥはメイン接続ノードに移動された前記接続で引き続き情報を受信及び送信することができ、それにより接続移動及びデータの連続を実現する。
【００８６】
以上の３つの実施例を結合し、図１１は実施形態１の方法フローチャートである。ＵＥがもともとは２つ以上の接続ノードと接続を確立したことを仮定し、図１１に示すように、接続管理方法は以下の１１０１〜１１０２を含む。
【００８７】
１１０１：メイン接続ノードは、ＵＥと１つのリソース接続ノードとの間の一部又は全部の接続を削除又は移動する必要があると判断する。
【００８８】
そのうち、メイン接続ノードは受信した測定レポート、ＲＲＭアルゴリズム、受信したリソースノードの負荷情報、サービス伝送状況のうちの１つ又は任意複数の要素に基づいて、ＵＥと１つのリソース接続ノードとの間の一部又は全部の接続を削除又は移動する必要があるかどうかを判断する。
【００８９】
１１０２：メイン接続ノードは前記削除又は移動操作を開始し、前記操作は以下の１１０２−１と１１０２−２を含む。
１１０２−１：メイン接続ノードは、前記接続を削除又は移動するように前記リソース接続ノードに指示する。
１１０２−２：メイン接続ノードは、前記接続を削除又は移動するように前記ＵＥに指示する。
【００９０】
そのうち、以上の操作１１０２−１及び操作１１０２−２は順に実行されてもよく、並行に実行されてもよい。
【００９１】
実施形態１の方法を採用し、ＵＥとリソース接続ノードとの間の一部又は全部の接続を削除する状況に対して、リソース接続ノード及びＵＥは前記削除された一部又は全部の接続で情報を受信及び送信することを停止し、ＵＥとリソース接続ノードとの間の一部又は全部の接続をメイン接続ノードに移動する状況に対して、移動が成功した後、メイン接続ノード及びＵＥはメイン接続ノードに移動した前記接続で情報を引き続き受信及び送信することができ、それにより、接続の削除又は接続の移動及びデータの連続を実現し、マルチ接続アーキテクチャでＵＥとリソース接続ノードとの間の接続管理を実現する。
【００９２】
実施形態２
図１２は、本実施形態の、二重接続無線インターフェースコントロールプレーン構造の模式図である。そのうち、メイン接続ノード及びＵＥにはいずれもＲＲＣエンティティが配置され、メイン接続ノード及びＵＥでのＲＲＣエンティティは関連技術のＬＴＥシステムにおけるあらゆるＲＲＣ機能を実現し、システムブロードキャストメッセージの送受信及びＲＲＣ接続コントロールのすべての機能を含む。リソース接続ノードにもＲＲＣエンティティが配置され、メイン接続ノードとＵＥの間にＲＲＣメッセージを伝送することができる以外、リソース接続ノードとＵＥの間にＲＲＣメッセージを伝送することもできる。
【００９３】
実施例１
本実施例は図３に示すシーンに適用され、ＵＥはもともとはメイン接続ノードとリソース接続ノードとの間に二重接続を確立したが、その後、ＵＥはＵＥの所在するリソース接続ノードがカバーするセル（セル２）の信号品質が劣化したことを検出し、ＵＥが引き続き前記リソース接続ノードにおいて接続を維持することにもはや適合されなくなり、本実施例において、メイン接続ノードは、ＵＥと該リソース接続ノードとの間の接続をメイン接続ノードに移動することを確定する。図１３は実施形態２の実施例１に係る接続管理フローチャートであり、以下の１３０１〜１３０６を含む。
【００９４】
１３０１〜１３０３：実施形態１の実施例１のステップ６０１〜６０３の記述と同じ、ここでは繰り返して説明しない。
１３０４：リソース接続ノードはメイン接続ノードに接続再設定応答を戻し、実施形態１の実施例１のステップ６０４の記述と同じである。
ステップ１０３４’、１０３４−１の操作も実施形態１の実施例１のステップ６０４’、６０４−１の記述と同じである。
１３０４−ｘ：該ステップはステップ１３０４と並行に実行されてもよい。リソース接続ノードはＲＲＣ接続再設定メッセージをＵＥに送信し、即ち、リソース接続ノードはＵＥとリソース接続ノードとの間の接続をメイン接続ノードに再設定するようにＵＥに指示する。
１０３５〜１０３６：実施形態１の実施例１のステップ６０６〜６０７の記述と同じである。
【００９５】
実施例２
本実施例は、ＵＥが元々メイン接続ノードとリソース接続ノードとの間に二重接続を確立したが、その後、サービストラフィックが減少するため、ＵＥとネットワークのオーバーヘッドを低減させるために、ＵＥとリソース接続ノードとの間の接続を削除する必要があり、単一接続状態に戻るということに適用できる。本実施例において、メイン接続ノードはＵＥとリソース接続ノードとの間の接続を削除する必要があると確定する。図１４は実施形態２の実施例２に係る接続管理フローチャートであり、以下の１４０１〜１４０４を含む。
【００９６】
１４０１〜１４０２：実施形態１の実施例２のステップ７０１〜７０２の記述と同じ、ここでは繰り返して説明しない。
１４０３：リソース接続ノードはメイン接続ノードに接続再設定応答を戻し、前記接続再設定応答はリソース接続ノードが削除したすべての接続の情報を含み、又は本実施例において、ＵＥとリソース接続ノードとの間のデータ伝送がすでに終わり、前記接続再設定応答メッセージはいかなる接続の情報を含まなくてもよい。
１４０３−ｘ：リソース接続ノードはＲＲＣ接続再設定メッセージをＵＥに送信し、リソース接続ノードとの間のすべてのユーザプレーンデータ接続を削除するようにＵＥに指示し、該ステップはステップ１４０３と並行に実行されてもよい。
１４０４：ステップ１４０３−ｘにおいてＵＥとリソース接続ノードとの間のすべてのユーザプレーンデータ接続を削除したが、ＵＥとリソース接続ノードとの間のコントロールプレーンシグナリング接続を保持し、従って、本実施例において、ＵＥはＲＲＣ接続再設定応答メッセージをリソース接続ノードにフィードバックする。
【００９７】
実施例３
本実施例は、ＵＥはもともとはメイン接続ノードとリソース接続ノードとの間に二重接続を確立したが、その後、リソース接続ノードの負荷が大きすぎるため、ＵＥとリソース接続ノードとの間の一部又は全部の接続をメイン接続ノードに移動する必要があるということに適用できる。本実施例において、メイン接続ノードはＵＥとリソース接続ノードとの間の一部又は全部の接続をメイン接続ノードに移動することを決めて開始する。図１５は実施形態２の実施例３に係る接続管理フローチャートであり、以下の１５０１〜１５０５を含む。
【００９８】
１５０１〜１５０３：実施形態１の実施例３のステップ１００１〜１００３の記述と同じ、ここでは繰り返して説明しない。
１５０４、１５０４’、１５０４−１：実施形態１の実施例１のステップ６０４、６０４’、６０４−１の記述と同じである。
１５０４−ｘ：該ステップと１５０４は同期して実行され、リソース接続ノードはＲＲＣ接続再設定メッセージをＵＥに送信し、リソース接続ノードとの間のすべてのユーザプレーンデータ接続を削除するようにＵＥに指示する。
１５０５：ステップ１４０３−ｘにおいてＵＥとリソース接続ノードとの間のすべてのユーザプレーンデータ接続を削除したが、ＵＥとリソース接続ノードとの間のコントロールプレーンシグナリング接続を保持し、従って、本実施例において、ＵＥはＲＲＣ接続再設定応答メッセージをリソース接続ノードにフィードバックする。勿論、本実施例において、ステップ１５０４−ｘはＵＥとリソース接続ノードとの間のすべてのユーザプレーンデータ接続及びコントロールプレーンシグナリング接続を削除してもよく、このように、該ステップにおいてＵＥはＲＲＣ接続再設定応答メッセージをメイン接続ノードにフィードバックする。
【００９９】
以上の３つの実施例を結合し、図１６に示すように、実施形態２の接続管理方法は、ＵＥがもともとは２つ以上の接続ノードと接続を確立した状況に適用され、以下の１６０１〜１６０２を含む。
【０１００】
１６０１：メイン接続ノードは、ＵＥと１つのリソース接続ノードとの間の一部又は全部の接続を削除又は移動する必要があると判断する。
そのうち、メイン接続ノードは受信した測定レポート、ＲＲＭアルゴリズム、受信したリソースノードの負荷情報、サービス伝送状況のうちの１つ又は任意複数の要素に基づいて、ＵＥと１つのリソース接続ノードとの間の一部又は全部の接続を削除又は移動する必要があるかどうかを判断する。
【０１０１】
１６０２：メイン接続ノードは前記削除又は移動操作を開始し、前記操作は以下の１６０２−１と１６０２−２を含む。
１６０２−１：メイン接続ノードは、前記接続を削除又は移動するように前記リソース接続ノードに指示する。
１６０２−２：リソース接続ノードはメイン接続ノードの指示を受信した後、前記接続を削除又は移動するように前記ＵＥに指示する。
【０１０２】
そのうち、以上の操作１６０２−１及び操作１６０２−２は順に実行される。
【０１０３】
実施形態２の方法を採用し、ＵＥとリソース接続ノードとの間の一部又は全部の接続を削除する状況に対して、リソース接続ノード及びＵＥは前記削除された一部又は全部の接続で情報を受信及び送信することを停止する。ＵＥとリソース接続ノードとの間の一部又は全部の接続をメイン接続ノードに移動する状況に対して、移動が成功した後、メイン接続ノード及びＵＥはメイン接続ノードに移動した前記接続で情報を引き続き受信及び送信することができ、それにより、接続の削除又は接続の移動及びデータの連続を実現し、マルチ接続アーキテクチャでＵＥとリソース接続ノードとの間の接続管理を実現する。
【０１０４】
また、本実施例において、アクセスネットワークエレメントを更に提供しており、
前記アクセスネットワークエレメントをメイン接続ノードとする場合、前記ＵＥと１つのリソース接続ノードとの間の少なくとも一部の接続を削除又は移動する必要があるかどうかを確定するように設定される確定モジュール、
前記アクセスネットワークエレメントをメイン接続ノードとする場合、前記確定モジュールが、前記ＵＥと１つのリソース接続ノードとの間の少なくとも一部の接続を削除又は移動する必要があると確定した時、前記少なくとも一部の接続を対応的に削除又は移動するように前記リソース接続ノードに指示するように設定される指示モジュールを備える。
【０１０５】
好ましくは、
前記指示モジュールは更に、前記アクセスネットワークエレメントをメイン接続ノードとする場合、前記確定モジュールが、前記ＵＥと１つのリソース接続ノードとの間の少なくとも一部の接続を削除又は移動する必要があると確定した時、前記少なくとも一部の接続を対応的に削除又は移動するように前記ＵＥに指示するように設定され、又は、前記アクセスネットワークエレメントをリソース接続ノードとする場合、メイン接続ノードにより送信された、少なくとも一部の接続を削除又は移動する指示を受信した後、前記少なくとも一部の接続を対応的に削除又は移動するように前記ＵＥに指示するように更に設定される。
【０１０６】
好ましくは、
前記指示モジュールが、前記少なくとも一部の接続を対応的に削除又は移動するように前記リソース接続ノードに指示するように設定されることは、
前記指示モジュールが、前記リソース接続ノードがベアリングするユーザプレーンデータ伝送用の少なくとも一部の無線アクセスベアラ（ＲＡＢ）を対応的に削除又は移動するように前記リソース接続ノードに指示するように設定されることを含む。
【０１０７】
好ましくは、
前記指示モジュールが、前記アクセスネットワークエレメントをメイン接続ノードとする場合、前記少なくとも一部の接続を対応的に削除又は移動するように前記ＵＥに指示するように設定されることは、
前記指示モジュールが、前記アクセスネットワークエレメントをメイン接続ノードとする場合、前記少なくとも一部の接続を対応的に削除又は移動するように前記リソース接続ノードに指示すると同時に、前記少なくとも一部の接続を対応的に削除又は移動するように前記ＵＥに指示するように設定されること、又は、
前記指示モジュールが、前記アクセスネットワークエレメントをメイン接続ノードとする場合、前記リソース接続ノードが前記少なくとも一部の接続を対応的に削除又は移動したことを知った後、前記少なくとも一部の接続を対応的に削除又は移動するように前記ＵＥに指示するように設定されることを含む。
【０１０８】
好ましくは、
前記指示モジュールが、前記少なくとも一部の接続を削除又は移動するように前記ＵＥに指示するように設定されることは、
前記指示モジュールが、前記ＵＥと前記リソース接続ノードとの間の少なくとも１つのユーザプレーンデータ無線ベアラ（ＤＲＢ）、又は前記少なくとも１つのユーザプレーンＤＲＢ及び前記ＵＥと前記リソース接続ノードとの間の少なくとも１つのコントロールプレーンシグナリング無線ベアラ（ＳＲＢ）を削除又は移動するように前記ＵＥに指示するように設定されることを含む。
【０１０９】
好ましくは、
前記確定モジュールが、前記ＵＥと１つのリソース接続ノードとの間の少なくとも一部の接続を削除又は移動する必要があるかどうかを確定するように設定されることは、
前記確定モジュールが、受信した測定レポート、無線リソース管理（ＲＲＭ）アルゴリズム、受信したリソースノードの負荷情報及びサービス伝送状況のうちの少なくとも１つの要素に基づいて、前記ＵＥと１つのリソース接続ノードとの間の少なくとも一部の接続を削除又は移動する必要があるかどうかを判断するように設定されることを含む。
【０１１０】
好ましくは、
前記指示モジュールが、前記少なくとも一部の接続を対応的に削除又は移動するように前記リソース接続ノードに指示するように設定されることは、
前記指示モジュールが、前記リソース接続ノードに接続再設定要求を開始するように設定されることを含み、前記接続再設定要求は、前記メイン接続ノードにより削除すると決められた、又はリソース接続ノードから移出すると決められた接続の情報を含み、
前記接続の情報は少なくとも前記接続の識別情報を含む。
【０１１１】
好ましくは、
前記接続の情報は、前記指示モジュールの提供した各削除／移出された接続が前記リソース接続ノードとメイン接続ノードのＸｎインターフェースでデータ転送を行うアップリンク・ダウンリンクユーザプレーンＧＰＲＳトンネルプロトコルトンネル識別情報を更に含む。
【０１１２】
好ましくは、
前記接続の情報は前記各削除／移出された接続がデータ転送を行うかどうかの指示情報を更に含み、
前記アクセスネットワークエレメントをリソース接続ノードとする場合、
前記データ転送を行うかどうかの指示情報の値がデータ転送を行う必要があることを表すと判断した場合、データを前記メイン接続ノードに転送するように設定される送信モジュールを更に備える。
【０１１３】
好ましくは、前記アクセスネットワークエレメントは、
前記アクセスネットワークエレメントをリソース接続ノードとする場合、前記メイン接続ノードの指示に従って、接続の削除／移出を対応的に完了した後、前記メイン接続ノードに、前記削除／移出されたすべての接続の識別情報を少なくとも含む削除／移出されたすべての接続の情報を送信するように設定される送信モジュールを更に備える。
【０１１４】
好ましくは、
前記送信モジュールの送信した前記削除／移出されたすべての接続の情報は、各削除／移出された接続がデータ転送を行うかどうかの指示を更に含む。
【０１１５】
好ましくは、
前記送信モジュールの送信した前記削除／移出されたすべての接続の情報は、各削除／移出された接続でのデータ伝送の伝送シーケンス状態を更に含み、前記伝送シーケンス状態は、アップリンクパケットデータプロトコル層サービスデータパケット（ＰＤＣＰ  ＳＤＵ）の受信状態指示、最初に欠落したアップリンクＰＤＣＰ  ＳＤＵのカウント番号及び最初に欠落したダウンリンクＰＤＣＰ  ＳＤＵのカウント番号のうちの任意の１つ又は任意のいくつかの組み合せを含む。
【０１１６】
好ましくは、
前記送信モジュールは更に、前記メイン接続ノードの指示に従って、接続の削除／移出を対応的に完了した後、前記メイン接続ノードに各削除／移出された接続でのデータ伝送の伝送シーケンス状態を送信するように設定され、前記伝送シーケンス状態は、アップリンクＰＤＣＰ  ＳＤＵの受信状態指示、最初に欠落したアップリンクＰＤＣＰ  ＳＤＵのカウント番号及び最初に欠落したダウンリンクＰＤＣＰ  ＳＤＵのカウント番号のうちの任意の１つ又は任意のいくつかの組み合せを含む。
【０１１７】
当業者は、上記方法における全部又は一部のステップをプログラムによって関連ハードウェアに命令を出して完成させることができ、前記プログラムはコンピュータ読み取り可能な記憶媒体、例えば読取り専用メモリ、ディスク又は光ディスク等に記憶してもよいと理解することができる。選択的に、上記実施例の全部又は一部のステップが１つ又は複数のＩＣにより実現されてもよい。それに対応して、上記実施例における各モジュール／ユニットはハードウェアの形式で実現されてもよく、ソフトウェア機能モジュールの形式で実現されてもよい。本発明の実施例はいかなる特定形式のハードウェアとソフトウェアの組合せに限らない。
【０１１８】
以上は本発明の好適な実施例に過ぎず、本発明の実施例の保護範囲を制限するものではない。本発明の実施例の発明内容に基づいて、他の複数種の実施例を有し得る。本発明の実施例の趣旨及びその実質を逸脱しない場合に、当業者は、本発明の実施例に基づいて各種の対応する変更及び変形を行うことができ、本発明の実施例の趣旨及び原則内で行ったいかなる変更、等価置換、改良等は、いずれも本発明の実施例の保護範囲内に属すべきである。
【産業上の利用可能性】
【０１１９】
本発明の実施例は、二重接続アーキテクチャでのＵＥとリソース接続ノードとの間の接続管理を実現し、特にリソース接続ノードがＵＥに情報伝送を提供することにもはや適していない、又はＵＥにこの前に確立されたすべての接続の情報伝送を提供することにもはや適していない場合の接続管理を実現する。
【図１】
0006290413.tif 000002
【図２】
0006290413.tif 000003
【図３】
0006290413.tif 000004
【図４】
0006290413.tif 000005
【図５】
0006290413.tif 000006
【図６】
0006290413.tif 000007
【図７】
0006290413.tif 000008
【図８】
0006290413.tif 000009
【図９】
0006290413.tif 000010
【図１０】
0006290413.tif 000011
【図１１】
0006290413.tif 000012
【図１２】
0006290413.tif 000013
【図１３】
0006290413.tif 000014
【図１４】
0006290413.tif 000015
【図１５】
0006290413.tif 000016
【図１６】
0006290413.tif 000017